(57)【要約】【課題】蓄電デバイス本来の製造とは別に、特別な加工や設計を行うことなく、識別部を簡易に付与することができるとともに、蓄電デバイスの正極接続端子と負極接続端子の識別を目視等によって容易に行うことが可能な蓄電デバイスを提供する。【解決手段】蓄電デバイス１は、蓄電要素１０を収容するラミネートフィルム４０、５０からなる外装体と、蓄電要素１０の正極および負極のそれぞれに電気的に接続され、外装体から突出した正極接続端子２０および負極接続端子３０とを備える。正極接続端子２０が突出している外装体の箇所の付近には外装体の一部の外表面が凸形状に形成されることによって正極側識別部４２が存在している。【選択図】図１
2010113869.tif 000002
【特許請求の範囲】
【請求項１】
蓄電要素を収容する外装体と、
前記蓄電要素の正極および負極のそれぞれに電気的に接続され、前記外装体から突出した正極接続端子および負極接続端子とを備え、
前記正極接続端子または前記負極接続端子のいずれか一方が突出している前記外装体の箇所の付近には前記外装体の一部の外表面が凸形状に形成されることによって極性識別部が存在している、蓄電デバイス。
【請求項２】
前記極性識別部が正極側識別部である、請求項１に記載の蓄電デバイス。
【請求項３】
蓄電要素を収容する前記外装体の箇所には少なくとも一方の側の外表面が凸形状に形成されることによって蓄電要素収容用凸部が存在し、相対的に小さい領域を有する前記正極側識別部が相対的に大きい領域を有する前記蓄電要素収容用凸部に連続するように形成されている、請求項２に記載の蓄電デバイス。
【請求項４】
蓄電要素を収容する前記外装体の箇所には少なくとも一方の側の外表面が凸形状に形成されることによって蓄電要素収容用凸部が存在し、相対的に小さい領域を有する前記正極側識別部が相対的に大きい領域を有する前記蓄電要素収容用凸部から離隔して形成されている、請求項２に記載の蓄電デバイス。
【請求項５】
前記正極側識別部は、前記正極接続端子が延在する方向の延長線上に位置付けられている、請求項２から請求項４までのいずれか１項に記載の蓄電デバイス。
【請求項６】
前記正極側識別部は、前記外装体の幅方向の中央部に位置付けられている、請求項５に記載の蓄電デバイス。
【請求項７】
前記正極側識別部は、前記正極接続端子が延在する方向の延長線上ではなく、前記外装体の隅部に位置付けられている、請求項２から請求項４までのいずれか１項に記載の蓄電デバイス。
【請求項８】
前記正極側識別部の幅寸法は、前記正極接続端子の幅寸法よりも小さい、請求項２から請求項７までのいずれか１項に記載の蓄電デバイス。
【発明の詳細な説明】
【技術分野】
【０００１】
この発明は、リチウムイオン二次電池、リチウム二次電池、ポリマー二次電池、電気二重層キャパシタなどの蓄電デバイスに関するものである。
【背景技術】
【０００２】
従来から、たとえば、ラミネートフィルムからなる外装体に蓄電要素を収容した形態を有する非水電解質電池等の蓄電デバイスでは、外装体から外部に導出されて突出した形態で正極と負極の接続端子が形成されている。このような正極接続端子と負極接続端子の両者の判別をするために、接続端子の外部導出部の根元の位置に＋印、−印のマークを印字する、またはシールを貼り付ける必要があった。しかしながら、マークが印字されていない面やシールが貼り付けられていない面が上向きとされている場合、向きが統一されずに電池が生産ラインに供給される場合などには、正極接続端子と負極接続端子の両者の区別を目視によって行うことは困難であるという問題がある。
【０００３】
そこで、非水電解質電池の接続端子の正極と負極の判断を容易かつ確実に行うことができるようにした非水電解質電池が、たとえば、特開２００４−７９２４０号公報（以下、特許文献１という）で提案されている。
【０００４】
図１２は、特許文献１で提案された非水電解質電池の一例を示す斜視図である。
【０００５】
図１２に示す非水電解質電池１１０では、電池を構成する電池本体、すなわち蓄電要素１００が、ラミネートフィルムからなる外装体２００内に密着封入されている。外装体２００において蓄電要素１００の外形状に対応する内形状を有する突出部５００内に蓄電要素１００が収容され、ラミネートフィルムによって被覆されている。外装体２００の封着部３００から、蓄電要素１００の正極に接続された一方の接続端子４００ａと、負極に接続された接続端子４００ｂが外装体２００から導出されて突出している。
【０００６】
上記のように構成された非水電解質電池１１０において、図１２に示すように、たとえば、正極接続端子４００ａの長さＬａを負極接続端子４００ｂの長さＬｂよりも長くしている。このように接続端子部の長さを異ならせることによって、電池の正極接続端子と負極接続端子を判別しやすくしている。また、特許文献１では、接続端子部の長さ以外に、幅や厚みを異ならせることによって、電池の正極と負極の接続端子を判別しやすくしている。
【特許文献１】特開２００４−７９２４０号公報
【発明の開示】
【発明が解決しようとする課題】
【０００７】
ラミネートフィルムからなる外装体に蓄電要素を収容した形態を有する従来の蓄電デバイスでは、目視等によって正極接続端子と負極接続端子の両者の判別をするために、蓄電デバイス本来の製造とは別に、マークを印字する、またはシールを貼り付ける等の特別な加工を行う必要があった。
【０００８】
特許文献１に開示された非水電解質電池では、目視によって正極と負極の接続端子の識別を行っている。特許文献１に開示された非水電解質電池では、正極接続端子と負極接続端子の相違を目視によって容易に識別することができるようにするためには、蓄電デバイス本来の製造とは別に、正極接続端子と負極接続端子との間で接続端子の長さ、幅、厚みの差が大きくなるように接続端子の形状を変更する等の特別な設計を行う必要がある。
【０００９】
そこで、この発明の目的は、蓄電デバイス本来の製造とは別に、特別な加工や設計を行うことなく、識別部を簡易に付与することができるとともに、蓄電デバイスの正極接続端子と負極接続端子の識別を目視等によって容易に行うことが可能な蓄電デバイスを提供することである。
【課題を解決するための手段】
【００１０】
この発明に従った蓄電デバイスは、蓄電要素を収容する外装体と、蓄電要素の正極および負極のそれぞれに電気的に接続され、外装体から突出した正極接続端子および負極接続端子とを備える。正極接続端子または負極接続端子のいずれか一方が突出している外装体の箇所の付近には外装体の一部の外表面が凸形状に形成されることによって極性識別部が存在している。
【００１１】
この発明の蓄電デバイスにおいては、正極接続端子または負極接続端子のいずれか一方が突出している外装体の箇所の付近に極性識別部が存在しているので、蓄電デバイスの正極接続端子と負極接続端子の識別を目視等によって容易に行うことができる。
【００１２】
また、極性識別部は、外装体の一部の外表面が凸形状に形成されることによって構成されるので、蓄電要素を収容するために外装体にカップ等の外形状を付与するための成形工程において、極性識別部を外装体に付与することができる。このため、蓄電デバイス本来の製造とは別に、特別な加工や設計を行うことなく、極性識別部を簡易に付与することができる。
【００１３】
この発明の蓄電デバイスにおいて上述した作用効果を効果的に発揮するためには、極性識別部が正極側識別部であることが好ましい。
【００１４】
この発明の蓄電デバイスにおいて、蓄電要素を収容する外装体の箇所には少なくとも一方の側の外表面が凸形状に形成されることによって蓄電要素収容用凸部が存在し、相対的に小さい領域を有する正極側識別部が相対的に大きい領域を有する蓄電要素収容用凸部に連続するように形成されていることが好ましい。
【００１５】
このようにすることにより、蓄電要素収容用凸部を外装体の外表面に付与するための成形工程において、カップ成形用の金型形状を工夫することにより、正極側識別部を容易に外装体の外表面に付与することができる。また、相対的に小さい領域を有する正極側識別部が相対的に大きい領域を有する蓄電要素収容用凸部に連続するように形成されているので、いわゆる乾電池の形態に類似した形態で正極側識別部を外装体の外表面に付与することができる。
【００１６】
また、この発明の蓄電デバイスにおいて、蓄電要素を収容する外装体の箇所には少なくとも一方の側の外表面が凸形状に形成されることによって蓄電要素収容用凸部が存在し、相対的に小さい領域を有する正極側識別部が相対的に大きい領域を有する蓄電要素収容用凸部から離隔して形成されていてもよい。
【００１７】
このようにして、蓄電要素収容用凸部を外装体の外表面に付与するための成形工程において、カップ成形用の金型形状を工夫することにより、正極側識別部を容易に外装体の外表面に付与することができるとともに、正極側識別部を蓄電要素収容用凸部から独立して存在させることにより、正極側識別部の識別力を向上させることができる。
【００１８】
さらに、この発明の蓄電デバイスにおいて、正極側識別部は、正極接続端子が延在する方向の延長線上に位置付けられていることが好ましい。
【００１９】
このようにすることにより、正極側を容易に識別することができる。
【００２０】
さらにまた、この発明の蓄電デバイスにおいて、正極側識別部は、外装体の幅方向の中央部に位置付けられていることが好ましい。
【００２１】
このようにすることにより、いわゆる乾電池の形態に類似した形態で正極側識別部が形成されるので、正極側を容易に識別することができる。
【００２２】
この発明の蓄電デバイスにおいて、正極側識別部は、正極接続端子が延在する方向の延長線上ではなく、外装体の隅部に位置付けられていてもよい。
【００２３】
この発明の蓄電デバイスにおいて、正極側識別部の幅寸法は、正極接続端子の幅寸法よりも小さいことが好ましい。
【００２４】
このようにすることにより、正極接続端子の大きさに依存することなく、相対的に小さな凸部を形成することによって、識別部を外装体の外表面に付与することができる。
【発明の効果】
【００２５】
以上のようにこの発明によれば、蓄電デバイス本来の製造とは別に、特別な加工や設計を行うことなく、極性識別部を簡易に付与することができるとともに、蓄電デバイスの正極接続端子と負極接続端子の識別を目視等によって容易に行うことができる。これにより、蓄電デバイスの製造工程中においても、最終製品の蓄電デバイスにおいても、正極側または負極側の識別を容易に行うことが可能となる。したがって、蓄電デバイスの正極と負極が逆に接続されるのを防止することができる。
【発明を実施するための最良の形態】
【００２６】
以下、この発明の実施の形態を図面に基づいて説明する。
【００２７】
（実施形態１）
図１はこの発明の実施形態１としての蓄電デバイスを示す斜視図、図２は図１のＩＩ−ＩＩ線の方向から見た端面断面図、図３は図１のＩＩＩ−ＩＩＩ線の方向から見た断面図である。
【００２８】
図１〜図３に示すように、蓄電デバイス１は、蓄電要素１０を収容する上下二枚のラミネートフィルム４０、５０からなる外装体と、蓄電要素１０の正極および負極のそれぞれに電気的に接続され、外装体から突出した正極接続端子２０および負極接続端子３０とを備える。蓄電要素１０は、たとえば、リチウム金属酸化物からなる活物質が付着された正極部材と、セパレータ部材と、炭素材料からなる活物質が付着された負極部材とが積層または巻回されることによって構成されている。ラミネートフィルム４０、５０の各々は、たとえば、ナイロン（登録商標）からなる外面層とアルミニウム箔からなる中間層とポリプロピレンからなる内面層との三層構造を有する。正極接続端子２０と負極接続端子３０は、たとえば、同一のアルミニウムまたはその合金から形成されている。
【００２９】
外装体の周辺部において二枚のラミネートフィルム４０、５０の外周部分４５、５５の対向する内面層同士が溶着されることにより、ヒートシール部分６０が形成されている。このヒートシール部分６０から正極接続端子２０と負極接続端子３０が導出されて突出している。
【００３０】
蓄電要素１０を収容する外装体の箇所である中央部には、一方の側の外表面、この実施形態１では上側の外表面が凸形状に形成されることによって、相対的に大きな領域を有する蓄電要素収容用凸部４１が存在する。上下の外表面が凸形状に形成されることによって、蓄電要素収容用凸部４１が構成されてもよい。
【００３１】
正極接続端子２０が突出している外装体の箇所の付近には、外装体の一部の外表面が凸形状に形成されることによって、相対的に小さな領域を有する正極側識別部４２が存在する。正極側識別部４２は、突起状または凸状に形成された周縁部４３と、周縁部４３によって囲まれ、正極接続端子２０に接触するように、あるいは正極接続端子２０に接触するくらいまで、凹んだ中央部４４とからなる。正極側識別部４２が蓄電要素収容用凸部４１に連続するように形成されている。なお、周縁部４３と中央部４４は、外装体の周辺四方を真空シールする際に形成される。外装体の周辺四方が真空シールされる前までは、周縁部４３と中央部４４は、蓄電要素収容用凸部４１の平面に連なり、平らな状態である。この実施形態では、凹んだ中央部４４は、図２と図３に示すように、正極接続端子２０に接触しているが、絶縁テープ等の絶縁部材、または、活物質層が中央部４４と正極接続端子２０との間に介在することにより、正極接続端子２０の表面から離隔した位置にあってもよい。また、正極側識別部４２は、正極接続端子２０が延在する方向の延長線上に位置付けられている。さらに、正極側識別部４２は、外装体の幅方向の中央部に位置付けられている。正極側識別部４２の幅寸法は、正極接続端子２０の幅寸法よりも小さい。
【００３２】
なお、この実施形態１では、正極接続端子２０は、互いに対向する外装体の両側部のうち一方の側部から延びるように突出しており、負極接続端子３０は、互いに対向する外装体の両側部のうち他方の側部から延びるように突出している。
【００３３】
以上のように構成された実施形態１の蓄電デバイス１においては、正極接続端子２０が突出している外装体の箇所の付近に正極側識別部４２が存在しているので、蓄電デバイス１の正極接続端子２０と負極接続端子３０の識別を目視等によって容易に行うことができる。
【００３４】
また、正極側識別部４２は、外装体の一部の外表面が凸形状に形成されることによって構成されるので、蓄電要素１０を収容するために外装体にカップ等の外形状を付与するための成形工程において、正極側識別部４２を外装体に金型により同時に付与することができる。このため、蓄電デバイス１の本来の製造とは別に、特別な加工や設計を行うことなく、正極側識別部４２を簡易に付与することができる。
【００３５】
さらに、蓄電要素１０を収容する外装体の箇所には少なくとも一方の側の外表面が凸形状に形成されることによって蓄電要素収容用凸部４１が存在し、相対的に小さい領域を有する正極側識別部４２が相対的に大きい領域を有する蓄電要素収容用凸部４１に連続するように形成されている。これにより、蓄電要素収容用凸部４１を外装体の外表面に付与するための成形工程において、カップ成形用の金型形状を工夫することにより、正極側識別部４２を容易に外装体の外表面に付与することができる。また、相対的に小さい領域を有する正極側識別部４２が相対的に大きい領域を有する蓄電要素収容用凸部４１に連続するように形成されているので、いわゆる乾電池の形態に類似した形態で正極側識別部４２を外装体の外表面に付与することができる。
【００３６】
さらにまた、正極側識別部４２は、正極接続端子２０が延在する方向の延長線上に位置付けられていることにより、正極側を容易に識別することができる。正極側識別部４２が外装体の幅方向の中央部に位置付けられていることにより、いわゆる乾電池の形態に類似した形態で正極側識別部４２が形成されるので、正極側を容易に識別することができる。
【００３７】
なお、正極側識別部４２の幅寸法が正極接続端子２０の幅寸法よりも小さいので、正極接続端子２０の大きさに依存することなく、相対的に小さな凸部を形成することによって、識別部を外装体の外表面に付与することができる。
【００３８】
上記の実施形態では、本発明の極性識別部が正極側識別部である例について説明したが、本発明の極性識別部が負極側識別部として形成されてもよい。この場合、図１において、たとえば、負極側識別部は、負極接続端子３０が突出している外装体の箇所の付近で、外装体の一部の外表面が凸形状に形成されることによって、蓄電要素収容用凸部４１に連続するように形成され、外装体の幅方向の両端部に２箇所形成されてもよい。
【００３９】
また、外装体の一部の外表面が凸形状に形成されることによって構成される正極側識別部または負極側識別部は、製造工程にて外装体の内部で発生したガスを溜める箇所として作用してもよい。この場合、正極側識別部または負極側識別部の箇所にガスを溜めることにより、製造工程における事故を防止することができる。
【００４０】
（実施形態２）
図４はこの発明の実施形態２としての蓄電デバイスを示す平面図、図５は図４のＶ−Ｖ線の方向から見た端面断面図、図６は図４のＶＩ−ＶＩ線の方向から見た断面図である。
【００４１】
図４〜図６に示すように、この実施形態２の蓄電デバイス２では、蓄電要素１０を収容する外装体の箇所には少なくとも一方の側の外表面が凸形状に形成されることによって蓄電要素収容用凸部４１が存在し、相対的に小さい領域を有する正極側識別部４２が相対的に大きい領域を有する蓄電要素収容用凸部４１から離隔して形成されている。
【００４２】
このようにして、蓄電要素収容用凸部４１を外装体の外表面に付与するための成形工程において、カップ成形用の金型形状を工夫することにより、正極側識別部４２を容易に外装体の外表面に付与することができるとともに、正極側識別部４２を蓄電要素収容用凸部４１から独立して存在させることにより、正極側識別部４２の識別力を向上させることができる。
【００４３】
なお、その他の構成は、実施形態１の蓄電デバイス１と同様であるので、同様の構成部分によって実施形態１と同様の作用効果を得ることができる。
【００４４】
（実施形態３）
図７はこの発明の実施形態３としての蓄電デバイスを示す平面図、図８は図７のＶＩＩＩ−ＶＩＩＩ線の方向から見た端面断面図、図９は図７のＩＸ−ＩＸ線の方向から見た断面図である。
【００４５】
図７〜図９に示すように、この実施形態３の蓄電デバイス３では、正極接続端子２０と負極接続端子３０は、それぞれ、互いに対向する外装体の両側部のうち一方側部から並行に延びるように突出している。また、正極側識別部４２は、正極接続端子２０が延在する方向の延長線上に位置付けられている。さらに、正極側識別部４２は、外装体の幅方向の一方側、すなわち正極接続端子２０の側に位置付けられている。図７と図８に示すように、正極側識別部４２の幅寸法は、正極接続端子２０の幅寸法とほぼ同じであるが、正極接続端子２０の幅寸法よりも大きくても小さくてもよい。
【００４６】
また、この実施形態３の蓄電デバイス３では、実施形態２の蓄電デバイス２と同様に、
蓄電要素１０を収容する外装体の箇所には少なくとも一方の側の外表面が凸形状に形成されることによって蓄電要素収容用凸部４１が存在し、相対的に小さい領域を有する正極側識別部４２が相対的に大きい領域を有する蓄電要素収容用凸部４１から離隔して形成されている。
【００４７】
このようにして、正極接続端子２０と負極接続端子３０が、それぞれ、外装体の同じ側から並行に延びるように突出している場合でも、蓄電要素収容用凸部４１を外装体の外表面に付与するための成形工程において、カップ成形用の金型形状を工夫することにより、正極側識別部４２を容易に外装体の外表面に付与することができるとともに、正極側識別部４２を蓄電要素収容用凸部４１から独立して存在させることにより、正極側識別部４２の識別力を向上させることができる。
【００４８】
なお、その他の構成は、実施形態１の蓄電デバイス１と同様であるので、同様の構成部分によって実施形態１と同様の作用効果を得ることができる。
【００４９】
（実施形態４）
図１０はこの発明の実施形態４としての蓄電デバイスを示す平面図である。
【００５０】
図１０に示すように、この実施形態４の蓄電デバイス４では、正極側識別部４２は、正極接続端子２０が延在する方向の延長線上ではなく、外装体の隅部に位置付けられている。
【００５１】
この場合でも、その他の構成は、実施形態２の蓄電デバイス２と同様であるので、同様の構成部分によって実施形態２と同様の作用効果を得ることができる。
【００５２】
（実施形態５）
図１１はこの発明の実施形態５としての蓄電デバイスを示す平面図である。
【００５３】
図１１に示すように、この実施形態５の蓄電デバイス５では、正極接続端子２０と負極接続端子３０は、それぞれ、互いに対向する外装体の両側部のうち一方側部から並行に延びるように突出している。正極側識別部４２は、正極接続端子２０が延在する方向の延長線上ではなく、外装体の隅部に位置付けられている。
【００５４】
この場合でも、その他の構成は、実施形態３の蓄電デバイス３と同様であるので、同様の構成部分によって実施形態３と同様の作用効果を得ることができる。
【００５５】
今回開示された実施の形態はすべての点で例示であって制限的なものではないと考慮されるべきである。本発明の範囲は以上の実施の形態ではなく、特許請求の範囲によって示され、特許請求の範囲と均等の意味および範囲内でのすべての修正や変形を含むものであることが意図される。
【図面の簡単な説明】
【００５６】
【図１】この発明の実施形態１としての蓄電デバイスを示す斜視図である。
【図２】図１のＩＩ−ＩＩ線の方向から見た端面断面図である。
【図３】図１のＩＩＩ−ＩＩＩ線の方向から見た断面図である。
【図４】この発明の実施形態２としての蓄電デバイスを示す平面図である。
【図５】図４のＶ−Ｖ線の方向から見た端面断面図である。
【図６】図４のＶＩ−ＶＩ線の方向から見た断面図である。
【図７】この発明の実施形態３としての蓄電デバイスを示す平面図である。
【図８】図７のＶＩＩＩ−ＶＩＩＩ線の方向から見た端面断面図である。
【図９】図７のＩＸ−ＩＸ線の方向から見た断面図である。
【図１０】この発明の実施形態４としての蓄電デバイスを示す平面図である。
【図１１】この発明の実施形態５としての蓄電デバイスを示す平面図である。
【図１２】特許文献１で提案された非水電解質電池の一例を示す斜視図である。
【符号の説明】
【００５７】
１，２，３，４，５：蓄電デバイス、１０：蓄電要素、２０：正極接続端子、３０：負極接続端子、４０，５０：ラミネートフィルム、４１：蓄電要素収容用凸部、４２：正極側識別部。
【図１】
2010113869.tif 000003
【図２】
2010113869.tif 000004
【図３】
2010113869.tif 000005
【図４】
2010113869.tif 000006
【図５】
2010113869.tif 000007
【図６】
2010113869.tif 000008
【図７】
2010113869.tif 000009
【図８】
2010113869.tif 000010
【図９】
2010113869.tif 000011
【図１０】
2010113869.tif 000012
【図１１】
2010113869.tif 000013
【図１２】
2010113869.tif 000014